(57)【要約】【課題】  画像比較によって電源制御を行なうことのできるデータ記録装置を提供すること。【解決手段】  システム制御回路は、一定周期で、チューナを介してＭＰＥＧエンコーダから取得される放送信号に基づく映像データ（以下「受信映像」）と、たとえばハードディスクに記憶された特定の画像データ（以下「記憶画像」という）とを比較する（ステップＳ２）。システム制御回路は、受信画像と記憶画像とが一致したことを検知した場合には（ステップＳ４においてＹＥＳ）、記憶画像の属性が何かを判断する（ステップＳ６）。ステップＳ６において、システム制御回路は、記憶画像の属性が「ＯＮ」であると検知した場合には、電源部にＯＮ信号を送信して電源をＯＮにする（ステップＳ８）。一方、記憶画像の属性が「ＯＦＦ」であると検知した場合には、電源部にＯＦＦ信号を送信して電源をＯＦＦにする（ステップＳ１０）。【選択図】        図２
2006174130.tif 000002
【特許請求の範囲】
【請求項１】
放送信号を受信するための受信手段と、
前記受信手段で受信された前記放送信号に基づく映像データを格納するためのデータ格納手段と、
ユーザからの指示に基づいて、前記データ格納手段に格納された前記映像データから特定の画像データを設定するための画像設定手段と、
ユーザからの指示に基づいて、前記特定の画像データの属性情報を設定するための属性設定手段と、
前記画像設定手段により設定された前記特定の画像データと前記属性情報とを対応付けて記憶するための記憶手段と、
前記受信手段により受信された前記放送信号に基づく映像データと前記記憶手段に記憶された前記特定の画像データとを比較するための画像比較手段と、
前記画像比較手段により比較された結果、前記映像データと前記特定の画像データとが一致していると判断された場合に、前記記憶手段に前記特定の画像データと対応付けられて記憶された前記属性情報に基づいて、電源のＯＮ／ＯＦＦ処理を行なうための電源制御手段とを備える、データ記録装置。
【請求項２】
放送信号を受信するための受信手段と、
前記受信手段で受信された前記放送信号に基づく映像データを格納するためのデータ格納手段と、
前記放送信号に含まれる特定の画像データを記憶するための記憶手段と、
前記受信手段により受信された前記放送信号に基づく映像データと前記記憶手段に記憶された前記特定の画像データとを比較するための画像比較手段と、
前記画像比較手段により比較された結果、前記映像データと前記特定の画像データとが一致していると判断された場合に、電源のＯＮ／ＯＦＦ処理を行なうための電源制御手段とを備える、データ記録装置。
【請求項３】
前記電源制御手段は、前記記憶手段に前記特定の画像データと対応付けられて記憶された属性情報に基づいて、前記電源のＯＮ／ＯＦＦ処理を行なう、請求項２に記載のデータ記録装置。
【請求項４】
ユーザからの指示に基づいて、前記データ格納手段に格納された前記映像データから前記特定の画像データを設定し、前記記憶手段に記憶させるための画像設定手段をさらに備える、請求項２に記載のデータ記録装置。
【請求項５】
ユーザからの指示に基づいて、前記特定の画像データの前記属性情報を設定するための属性設定手段をさらに備える、請求項３に記載のデータ記録装置。
【請求項６】
前記特定の画像データと前記属性情報とは、前記記憶手段に予め対応付けられて記憶される、請求項３に記載のデータ記録装置。
【請求項７】
請求項２に記載のデータ記録装置を備えた、衛星放送受信装置。
【請求項８】
請求項２に記載のデータ記録装置を備えた、テレビ受像機。
【発明の詳細な説明】
【技術分野】
【０００１】
本発明は、データ記録装置、および、データ記録装置を備えた衛星放送受信装置ならびにテレビ受像機に関し、特に、画像比較により電源制御を行なうデータ記録装置、および、該データ記録装置を備えた衛星放送受信装置ならびにテレビ受像機に関する。
【背景技術】
【０００２】
従来より、画像データ等を予め記憶しておき、受信される映像データと比較する技術が開示されている。
【０００３】
たとえば、特許文献１には、予め指定放送番組の前置画像情報の一部を記憶しておき、指定した放送番組の画像情報と一致したときに録画を開始する自動録画制御装置が開示されている。また、特許文献２には、入力される映像信号から検出された振幅とメモリ部に記憶されたデータとを比較し、その振幅が所定の一致率以上であると録画を開始する画像記録装置が開示されている。また、特許文献３には、登録された番組のタイトル部分の特徴量と、入力される映像信号の特徴量とを比較し、放送開始時刻の遅れが許容時間以上であれば、その遅れ分だけ録画終了時刻を延長する信号記録装置が開示されている。
【０００４】
また、特許文献４には、画像比較ではないが、ユーザの好みの番組データを作成して記憶しておき、好みの番組データの示す開始時刻になってもユーザが好みの番組を見ず、録画もしていない場合には、その番組を録画する技術が開示されている。
【特許文献１】特開平５−５６３８６号公報
【特許文献２】特開平５−８９５５８号公報
【特許文献３】特開２００４−５６６６９号公報
【特許文献４】特開平５−６２２８３号公報
【発明の開示】
【発明が解決しようとする課題】
【０００５】
上記特許文献１〜３は全て、画像比較を行なうことにより、受信される映像データの録画処理を行なうものである。したがって、録画される番組が、必ず録画しておきたい番組である場合や、ユーザが外出していて視聴できない場合に有効である。
【０００６】
しかしながら、ユーザが同じ空間にいる場合には、視聴さえできれば録画を望まない場合がある。
【０００７】
また、特許文献４では時刻情報を元に録画するか否かを判断するので、放送時刻がずれた場合には対応できない。
【０００８】
本発明は、上記のような問題を解決するためになされたものであって、その目的は、画像比較によって電源制御を行なうことのできるデータ記録装置、および、該データ記録装置を備えた衛星放送受信装置ならびにテレビ受像機を提供することである。
【課題を解決するための手段】
【０００９】
この発明のある局面に従うデータ記録装置は、放送信号を受信するための受信手段と、受信手段で受信された放送信号に基づく映像データを格納するためのデータ格納手段と、ユーザからの指示に基づいて、データ格納手段に格納された映像データから特定の画像データを設定するための画像設定手段と、ユーザからの指示に基づいて、特定の画像データの属性情報を設定するための属性設定手段と、画像設定手段により設定された特定の画像データと属性情報とを対応付けて記憶するための記憶手段と、受信手段により受信された放送信号に基づく映像データと記憶手段に記憶された特定の画像データとを比較するための画像比較手段と、画像比較手段により比較された結果、映像データと特定の画像データとが一致していると判断された場合に、記憶手段に特定の画像データと対応付けられて記憶された属性情報に基づいて、電源のＯＮ／ＯＦＦ処理を行なうための電源制御手段とを備える。
【００１０】
この発明の他の局面に従うデータ記録装置は、放送信号を受信するための受信手段と、受信手段で受信された放送信号に基づく映像データを格納するためのデータ格納手段と、放送信号に含まれる特定の画像データを記憶するための記憶手段と、受信手段により受信された放送信号に基づく映像データと記憶手段に記憶された特定の画像データとを比較するための画像比較手段と、画像比較手段により比較された結果、映像データと特定の画像データとが一致していると判断された場合に、電源のＯＮ／ＯＦＦ処理を行なうための電源制御手段とを備える。
【００１１】
好ましくは、電源制御手段は、記憶手段に特定の画像データと対応付けられて記憶された属性情報に基づいて、電源のＯＮ／ＯＦＦ処理を行なう。
【００１２】
好ましくは、ユーザからの指示に基づいて、データ格納手段に格納された映像データから特定の画像データを設定し、記憶手段に記憶させるための画像設定手段をさらに備える。
【００１３】
好ましくは、ユーザからの指示に基づいて、特定の画像データの属性情報を設定するための属性設定手段をさらに備える。
【００１４】
好ましくは、特定の画像データと属性情報とは、記憶手段に予め対応付けられて記憶される。
【００１５】
さらに、上述のデータ記録装置を備えた、衛星放送受信装置とすることも好ましい。
【００１６】
また、上述のデータ記録装置を備えた、テレビ受像機とすることも好ましい。
【発明の効果】
【００１７】
本発明によると、画像比較の結果、記憶された特定の画像データと受信された映像データとが一致したと判断された場合には、その属性情報に基づいて、電源のＯＮ／ＯＦＦ処理を行なうことができる。これにより、ユーザが視聴をし忘れたり、電源を切り忘れたりすることを防止することができる。
【発明を実施するための最良の形態】
【００１８】
本発明の実施の形態について図面を参照しながら詳細に説明する。なお、図中同一または相当部分には同一符号を付してその説明は繰返さない。
【００１９】
図１を参照して、本発明の実施の形態に係るデータ記録装置の一態様であるＤＶＤレコーダ１００について説明する。図１は、ＤＶＤレコーダ１００のハードウェア構成を表わすブロック図である。
【００２０】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８と、電源部１２９とを含む。なお、表示部１２８に表示される作動状態とは、たとえば、ＤＶＤレコーダにおける時刻情報、番組の録画状態等である。電源部１２９は、システム制御回路１１０からの指令信号を受けて、各ハードウェアに電力を供給する。
【００２１】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納されるハードディスク１４４とを含む。
【００２２】
図２は、本実施の形態におけるＤＶＤレコーダ１００のシステム制御回路１１０が実行する電源制御処理の流れを示すフローチャートである。なお、この電源制御処理は、ＤＶＤレコーダ１００の電源がＯＦＦ状態の場合にも実行される処理である。
【００２３】
図２を参照して、システム制御回路１１０は、一定周期で、ＭＰＥＧエンコーダ１５２から取得される放送信号に基づく映像データ（以下「受信映像」）と、たとえばハードディスク１４４に記憶された特定の画像データ（以下「記憶画像」という）とを比較する（ステップＳ２）。この記憶画像については、後に詳述する。
【００２４】
上記ステップＳ２においては、たとえば、受信映像（動画像）の１フレーム分のデータと記憶画像の１フレーム分のデータとを１対１で重ね合わせ、これらをぼかして比較するものとする。なお、画像比較はこのような方法に限らず、公知の技術を用いて行なうことができる。また、各々の画像データを構成する複数の点の情報を波の情報に変換して比較することとしてもよい。このようにすることにより、受信映像と記憶画像とが完全に一致していない場合でも、同様の画像であるときは一致したと判断することができる。
【００２５】
システム制御回路１１０は、受信映像と記憶画像とが一致したことを検知するまで待機する（ステップＳ４においてＮＯ）。
【００２６】
システム制御回路１１０は、受信画像と記憶画像とが一致したことを検知した場合には（ステップＳ４においてＹＥＳ）、記憶画像の属性が何かを判断する（ステップＳ６）。記憶画像の属性とは、その記憶画像が電源をＯＮするための画像かＯＦＦするための画像かを示す情報である。この属性情報は、後述するように、記憶画像と対応付けられて記憶されるものである。なお、ここでは、記憶画像が電源をＯＮするための画像である場合の属性を「ＯＮ」とし、そのような記憶画像を「ＯＮ画像」と記す。また、記憶画像が電源をＯＦＦするための画像である場合の属性を「ＯＦＦ」とし、そのような記憶画像を「ＯＦＦ画像」と記す。
【００２７】
ステップＳ６において、システム制御回路１１０は、記憶画像の属性が「ＯＮ」であると検知した場合には、電源部１２９にＯＮ信号を送信して電源をＯＮにする（ステップＳ８）。一方、記憶画像の属性が「ＯＦＦ」であると検知した場合には、電源部１２９にＯＦＦ信号を送信して電源をＯＦＦにする（ステップＳ１０）。
【００２８】
このような制御がされることにより、アンテナ１９０およびチューナ１３０を介してＭＰＥＧエンコーダ１５２から得られる受信映像が、記憶画像と一致していた場合には、自動的に電源のＯＮ／ＯＦＦ処理を行なうことができる。したがって、放映時間のずれがあった場合でも、時間にとらわれずに電源制御を行なうことが可能となる。これにより、番組の視聴忘れや、電源の切り忘れを防止することができる。
【００２９】
ここで、記憶画像について説明する。本実施の形態において、記憶画像は、たとえば、ハードディスク１４４やＤＶＤ１７２に格納された映像データから、ユーザにより設定される。図３は、本発明の実施の形態においてシステム制御回路１１０が実行する記憶画像設定処理の流れを示す図である。なお、図３に示す処理は、ユーザによって、たとえば図示しないリモコン等で記憶画像設定処理が選択された場合に開始される処理である。また、ここでは、記憶画像は、ハードディスク１４４に格納されたタイトルごとの映像データに基づいて設定されるものとする。
【００３０】
図３を参照して、システム制御回路１１０は、はじめに、ハードディスク１４４に格納されている映像データのタイトル一覧を表示させる（ステップＳ１２）。次に、ユーザからタイトルが指定されたか否かを判断する（ステップＳ１４）。システム制御回路１１０は、ユーザによりタイトルが指定されたことを検知するまで待機する（ステップＳ１４においてＮＯ）。
【００３１】
システム制御回路１１０は、タイトルが指定されたことを検知した場合に（ステップＳ１４においてＹＥＳ）、記憶画像設定画面を表示させる（ステップＳ１６）。次に、指定されたタイトルを再生する（ステップＳ１８）。システム制御回路１１０は、ユーザから画像が指定されたか否かを判断する（ステップＳ２０）。システム制御回路１１０は、ユーザから画像が指定されたことを検知するまで指定されたタイトルの再生を行なう（ステップＳ２０においてＮＯ）。
【００３２】
システム制御回路１１０は、ユーザにより画像が指定されたことを検知すると（ステップＳ２０においてＹＥＳ）、再生を停止する（ステップＳ２２）。そして、指定された画像データを記憶画像としてハードディスク１４４に記憶させる（ステップＳ２４）。ここで、記憶画像として記憶させる画像データは、たとえば、フレーム内符号化されたＩピクチャとしてもよい。
【００３３】
次に、システム制御回路１１０は、ユーザにより、指定された画像データの属性が選択されたか否かを判断する（ステップＳ２６）。システム制御回路１１０は、ユーザにより属性が選択されたことを検知するまで待機する（ステップＳ２６においてＮＯ）。
【００３４】
システム制御回路１１０は、ユーザにより属性が選択されたことを検知した場合（ステップＳ２６においてＹＥＳ）、選択された属性、すなわち「ＯＮ」または「ＯＦＦ」のいずれかの属性情報を、ステップＳ２４において記憶した記憶画像と対応付けて記憶させる（ステップＳ２８）。
【００３５】
本実施の形態においては、記憶画像と属性情報とは、ハードディスク１４４の管理領域に各々対応付けて記憶されるものとする。なお、記憶画像と属性情報とが対応付けられれば、他の領域に記憶させることとしてもかまわない。また、記憶画像と属性情報とは、たとえばメモリ１１２内の不揮発性メモリに記憶されることとしてもよい。
【００３６】
図４は、図３のステップＳ１６で表示した記憶画像設定画面の一例を示す図である。表示領域３１には、ステップＳ１４で指定されたタイトル名が表示される。表示領域３２には、ステップＳ１８で再生される映像が表示される。表示領域３３には、指定されたタイトルのうち、表示領域３２に表示される映像の位置が表示される。また、記憶画像設定画面には、記憶画像の属性を選択するためのボタン３４ａ，ｂが表示される。ボタン３４ａには「ＯＮ画像」と表示され、記憶画像の属性を「ＯＮ」とするためのボタンであることを示す。また、ボタン３４ｂには「ＯＦＦ画像」と表示され、記憶画像の属性を「ＯＦＦ」とするためのボタンであることを示す。
【００３７】
このように記憶画像の設定に記憶画像設定画面を設けることにより、ユーザが簡単に記憶画像を設定することができる。
【００３８】
図４を参照して、ユーザが、テレビ４００の画面に一覧表示されたタイトルの中からたとえば「めざまし番組」を選択したとすると（図３のステップＳ１２）、表示領域３１にはそのタイトル名が表示される（ステップＳ１６）。ユーザが表示領域３２に再生表示される映像を見ながら、たとえば図示しないリモコンなどで記憶させたい画像を指定する（Ｓ２０）。たとえばユーザが毎日「めざまし番組」の占いコーナーをリアルタイムで見たい場合、この占いコーナーが始まる時の画像（「今日の占いＣｏｕｎｔＤｏｗｎ」）を指定する。
【００３９】
このように画像が指定されると表示領域３２の再生が停止され（ステップＳ２２）、再生が停止された位置ＰＧの画像を、記憶画像として記憶させる（Ｓ２４）。そして、ユーザが、その記憶画像を「ＯＮ画像」として登録するためのボタン３４ａまたは「ＯＦＦ画像」として登録するためのボタン３４ｂのうちいずれかを選択することにより、記憶画像の属性を決定する（ステップＳ２６）。上記の例の場合、ユーザは占いのコーナーを視聴したいので「ＯＮ画像」を示すボタン３４ａを選択することになる。
【００４０】
同様に、占いコーナーが終われば電源を切りたい場合には、占いの後のコーナーの画像を「ＯＦＦ画像」として登録させておくことにより、視聴したいコーナーのときだけ電源をＯＦＦにしておくことができる。したがって、ユーザの手を煩わせることなく自動的に視聴したい番組（コーナー）を視聴することが可能となる。
【００４１】
なお、記憶画像の設定方法は上記の例に限られない。
【００４２】
たとえば、ＤＶＤ１７２に格納された映像データから記憶画像を設定することとしてもかまわない。この場合、予め設定されたチャプタを利用することもできる。図５は、記憶画像設定画面の他の例を示す図である。図５を参照して、テレビ４００の画面にはチャプタ画像Ａ〜Ｆが表示される。また、図４に示したボタンと同じボタン３４ａ，ｂが表示される。ユーザは、表示されたチャプタ画像のうち１つの画像を選択することにより記憶画像を設定することができる。ユーザにより選択されたチャプタ画像は、記憶画像としてハードディスク１４４の管理領域に記憶される。また、図４と同様に、ユーザが、属性「ＯＮ」を示すボタン３４ａおよび属性「ＯＦＦ」を示すボタン３４ｂのうちいずれかを選択することにより、記憶画像の属性を決定する。
【００４３】
また、図示しないリモコンに記憶画像設定専用のボタンを設けることとしてもかまわない。たとえば、ハードディスク１４４やＤＶＤ１７２に格納されている映像データの再生中に、この専用ボタンを押すことにより記憶画像を決定して記憶させることができる。この場合、記憶画像をハードディスク１４４の管理領域等に記憶させた後、属性を対応付けて記憶させる。
【００４４】
また、ユーザによらず、予め電源をＯＮ／ＯＦＦするための画像（記憶画像）が記憶されていてもかまわない。たとえば、砂嵐やカラーパターンの画像を「ＯＦＦ画像」として予め記憶させておくことで、電源の切り忘れを防止することができる。
【００４５】
また、過去にユーザが所定回数（たとえば３回）電源をＯＮ／ＯＦＦした画像があれば、その画像をその属性情報とともに記憶画像として記憶することとしてもかまわない。
【００４６】
なお、本実施の形態において、ハードディスク装置１４０およびＤＶＤ駆動装置１７０の両方を含む構成としたが、本発明にかかるデータ記録装置は、ハードディスク装置１４０だけであってもかまわないし、ＤＶＤ駆動装置１７０だけであってもかまわない。
【００４７】
（変形例）
図６を参照して、本発明の実施の形態の変形例について説明する。図６は、データ記録装置の一態様であるＤＶＤレコーダ１００’を内蔵したテレビ受像機（以下「テレビ」という）１０００のハードウェア構成を表わすブロック図である。
【００４８】
図６を参照して、本発明の実施の形態の変形例に係るテレビ１０００は、ＤＶＤレコーダ１００’に加えて、モニタ部４０００を備える。また、ＤＶＤレコーダ１００’は、図１を用いて説明したＤＶＤレコーダ１００に含まれる出力部１６８に代えて内部インターフェース２６８を備える。内部インターフェース２６８は、Ｄ／Ａ変換部１６０からの信号をモニタ部４０００で表示可能な信号に変換・調整する。他の構成および動作については、上記実施の形態と同様であるので、これらについての説明を繰り返さない。
【００４９】
本発明の実施の形態の変形例に係るテレビ１０００は、図２のステップＳ８で電源がＯＮにされると、アンテナ１９０およびチューナ１３０を介して受信される放送信号に基づく映像を、内部インターフェース２６８を介してモニタ部４０００に表示させることができる。
【００５０】
したがって、より、視聴し忘れや電源の切り忘れを防止することが可能となる。
【００５１】
なお、本発明の実施の形態において、画像比較をすることとしたが、音声信号を比較することにより電源制御を行なうこととしてもよい。
【００５２】
また、セットトップボックスのような衛星放送受信装置（受信コンバータ）にデータ記録装置が内蔵されている構成であってもよい。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５４】
【図１】本発明の実施の形態に係るＤＶＤレコーダのハードウェア構成を表わすブロック図である。
【図２】本発明の実施の形態に係るＤＶＤレコーダのシステム制御回路が実行する電源制御処理の流れを示すフローチャートである。
【図３】本発明の実施の形態においてシステム制御回路１１０が実行する記憶画像設定処理の流れを示す図である。
【図４】記憶画像設定画面の一例を示す図である。
【図５】記憶画像設定画面の他の例を示す図である。
【図６】本発明の実施の形態の変形例に係るテレビのハードウェア構成を表わすブロック図である。
【符号の説明】
【００５５】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１２９  電源部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、１９２  伝送ケーブル、４００，１０００  テレビ、４０００  モニタ部。
【図１】
2006174130.tif 000003
【図２】
2006174130.tif 000004
【図３】
2006174130.tif 000005
【図４】
2006174130.tif 000006
【図５】
2006174130.tif 000007
【図６】
2006174130.tif 000008